(57)【要約】【課題】折畳式容器において、部品点数を増やすことなく、製品を挿入可能にしながら、落下時等に製品が移動しないように製品を確実に保持する【解決手段】板部材にスリットによって一体的に設けたガイド片１０を内側に折り畳み、形成した折曲部で製品本体１を挿入可能な開口部３ａを形成すると共に、該折曲部から伸びる部分で製品本体１の側面を包み込むように支持する。板部材に一体的に設けた製品収納部底面９で製品本体１の底部を支持すると共に、製品収納部底面９にガイド片１０の先端（突起部１１）が製品本体１を押さえ付ける方向Ｐ及び逆方向に移動可能に挿入されるガイド孔１２を設ける。ガイド孔１２に突起部１１が係合した状態で開口部３ａ内に製品本体１を収納する。【選択図】図５
2007276836.tif 000002
【特許請求の範囲】
【請求項１】
スリットを有する板部材を立体的に折り畳んだ状態で製品を収納する折畳式容器であって、
上記板部材にスリットによって一体的に設けられ、内側に折り畳んで形成した折曲部で製品を挿入可能な開口部を形成すると共に、該折曲部から伸びた部分で製品の側面を包み込むように支持するガイド片と、
上記板部材に一体的に設けられ、上記製品の底部を支持すると共に、上記ガイド片先端が製品を押さえ付ける方向及び逆方向に移動可能に挿入されるガイド孔を有する製品収納部底面とを備え、
上記ガイド孔に上記ガイド片先端が係合した状態で上記開口部内に製品が収納されるように構成されている
ことを特徴とする折畳式容器。
【請求項２】
請求項１の折畳式容器であって、
上記製品収納部底面は、上記板部材にスリットによって一体的に設けられ、内側に折り畳むことにより、組立状態の他の底面よりも内側へ隆起した位置に形成され、
上記ガイド片先端が上記ガイド孔に挿入された状態で上記製品収納部底面よりもさらに奥に突出可能に構成されている
ことを特徴とする折畳式容器。
【請求項３】
請求項１又は２の折畳式容器であって、
上記ガイド孔の上記製品と反対側周縁には、上記ガイド片先端と当接し、上記ガイド片を上記製品を支持する方向に付勢すると共に、逆方向への移動を規制する突起片が形成されている
ことを特徴とする折畳式容器。
【請求項４】
請求項３の折畳式容器であって、
上記突起片は、ガイド孔を形成するスリットで覆われた部分を該スリットに連続する折れ線を境に上面側に折り畳むことで形成されている
ことを特徴とする折畳式容器。
【請求項５】
請求項１乃至４のいずれか１つに記載の折畳式容器において、
上記板部材は、紙製である
ことを特徴とする折畳式容器。
【発明の詳細な説明】
【技術分野】
【０００１】
本発明は、スリットを有する板部材を立体的に折り畳んだ状態で製品を収納する折畳式容器に関するものである。
【背景技術】
【０００２】
従来より、製品の緩衝用に用いる板紙による折畳式容器は知られている。この折畳式容器は、製品の大きさや形状に合わせた収納スペースをもっている。すなわち、例えば、図７に示すように、板部材を折り畳んだガイド片１１０で形成された収納スペース１０２の幅Ｌ１は、製品の幅Ｌ２に対して大きめに作成されている（Ｌ１＞Ｌ２）。
【０００３】
また、板紙１枚による折畳式容器では、形状に制約もあり、落下等の大きな負荷に耐えられず、別部材による強度改善等を図っていた。
【０００４】
例えば、特許文献１は、板紙１枚による折畳式容器であり、台形形状に設けたガイド孔にガイド片を挿入し、また、一体的に設けられた突起片が抜け止めとなることで、組み立てられた立体的形状を安定かつ継続的に保つようにすることが知られている。
【特許文献１】特開平１１−１７１１６８号公報
【発明の開示】
【発明が解決しようとする課題】
【０００５】
しかしながら、従来の折畳式容器では、収納スペースを形成するガイド片は、製品を確実に挿入することができるようにするために、製品との隙間をある程度設けた状態で製品を保持しなければならず、落下等による外部負荷が生じた場合、収納スペース内で製品が移動して、製品を十分に保護することができないという問題があった。
【０００６】
また、落下等による外部負荷が生じたとき、ガイド片がたわんで保持位置より外れる等により、製品を保持することができなくなって製品がガタ付いたり、外に飛び出したりする場合がある。このため、別部材による製品のガイドを実施する必要があるので、部品点数や作業工数が増えるという問題があった。
【０００７】
本発明は、かかる点に鑑みてなされたものであり、その目的とするところは、部品点数を増やすことなく、製品を容易に挿入可能にしながら、落下時等に移動しないように製品を確実に保持することにある。
【課題を解決するための手段】
【０００８】
上記の目的を達成するために、この発明では、製品を保持するガイド片の先端を、製品収納部の底面に製品を押さえ付ける方向及びその逆方向に移動可能に支持するようにした。
【０００９】
具体的には、第１の発明では、スリットを有する板部材を立体的に折り畳んだ状態で製品を収納する折畳式容器を対象とし、
この折畳式容器は、上記板部材にスリットによって一体的に設けられ、内側に折り畳んで形成した折曲部で製品を挿入可能な開口部を形成すると共に、該折曲部から伸びた部分で製品の側面を包み込むように支持するガイド片と、
上記板部材に一体的に設けられ、上記製品の底部を支持すると共に、上記ガイド片先端が製品を押さえ付ける方向及び逆方向に移動可能に挿入されるガイド孔を有する製品収納部底面とを備え、
上記ガイド孔に上記ガイド片先端が係合した状態で上記開口部内に製品が収納されるように構成されている。
【００１０】
上記の構成によると、先端が製品を押さえ付ける方向及び逆方向に移動可能にガイド孔に係合したガイド片が、製品を包み込むように支持しているので、従来のように製品との間に隙間を形成することなく製品を容易に挿入可能にしながら、製品が確実に支持される。このため、落下時等の製品の移動が防止される。また、板部材を切断したり、折り畳んだりすることにより、製品を収納可能となるため、板部材以外の部品を取り付ける必要がない。
【００１１】
第２の発明では、上記製品収納部底面は、上記板部材にスリットによって一体的に設けられ、内側に折り畳むことにより、組立状態の他の底面よりも内側へ隆起した位置に形成され、
上記ガイド片先端が上記ガイド孔に挿入された状態で上記製品収納部底面よりもさらに奥に突出可能に構成されている。
【００１２】
上記の構成によると、ガイド片先端が製品収納部底面よりもさらに奥に突出した状態でガイド孔に保持されているので、さらにガイド片先端がガイド孔から外れにくくなる。このため、ガイド片がガイド孔から外れず、製品が動いたり、外に飛び出したりするのが防止される。
【００１３】
第３の発明では、上記ガイド孔の上記製品と反対側周縁には、上記ガイド片先端と当接し、上記ガイド片を上記製品を支持する方向に付勢すると共に、逆方向への移動を規制する突起片が形成されている。
【００１４】
上記の構成によると、ガイド片が製品を製品収納部底面までガイドすると共に、ガイド片が突起片によって製品側へ付勢されているので、製品が確実に保持される。また、落下時でも突起片がガイド片先端の動きを規制しているので、ガイド片がガイド孔から外れず、製品が動いたり、外に飛び出したりするのが防止される。
【００１５】
第４の発明では、上記突起片は、ガイド孔を形成するスリットで覆われた部分を該スリットに連続する折れ線を境に上面側に折り畳むことで形成されている。
【００１６】
上記の構成によると、予めスリットを形成しておけば、突起片を折り畳むだけで別部品を用いることなく、ガイド孔と突起片とを同時に形成することができる。
【００１７】
第５の発明では、上記板部材は、紙製とする。
【００１８】
上記の構成によると、板部材の切断や折り曲げ等の加工が容易であると共に、リサイクルが可能であるため、環境に優しい。
【発明の効果】
【００１９】
以上説明したように、本発明では、スリットを設けた板紙を折り曲げて折畳式容器を成形し、製品を保持するガイド片の先端を、製品収納部の底面に製品を押さえ付ける方向及びその逆方向に移動可能に支持したことにより、製品を容易に挿入可能にしながら、製品を確実に保持すると共に、落下等外部負荷に対する信頼性の高い緩衝性能を得ることができ、別部材を用いる必要がないので、製造コストを抑えることができる。
【発明を実施するための最良の形態】
【００２０】
以下、本発明の実施形態を図面に基づいて説明する。
【００２１】
図１は、本発明の実施形態にかかる折畳式容器２の展開図である。図２は、上記板紙３０を立体的に組み立て、ガイド片１０を内側へ折り曲げる前の状態を示す。図３は、上記ガイド片１０を折れ線１４を境に内側に折り曲げ、製品収納部３の開口部３ａを形成すると共に、ガイド片１０の突起部１１を製品収納部底面９のガイド孔１２に係合させた、折畳式容器２の完成品状態を示す。図４は、組み立てられた折畳式容器２の製品収納部３を一部カットして示す。
【００２２】
図１に示す通り、折畳式容器２は、スリット６やミシン目７（図１に破線で示す）等が施された１枚の板部材としての板紙３０を折り畳むことによって形成される。この板紙３０には、製品本体１（図５等に示す）を収納する製品収納部３と同梱品（図示せず）を収納する同梱品収納部８が形成されている。折畳み後に上面２ａ側となる上面部４には、製品を保持するガイド片１０がスリット６によって例えば４分割されて形成され、折れ線１４（図１に一点鎖線で示す）を境に折り畳むことで、その折り曲げられた角部（側面から見たときの角部）で略矩形状の製品収納部３の開口部３ａが形成されている。また、この開口部３ａから奥側（下面２ｂ側）へ伸びる４つのガイド片で製品本体１の側面を包み込むように支持するようになっている。対向する一対のガイド片１０の先端には、突起部１１が設けられている。
【００２３】
なお、本実施形態では、それぞれの上記折れ線１４をつなぐ曲線状のコーナー部（平面視の角部）にスリット６を設けて該折れ線１４で内側に折れ曲がりやすくしている。また、ミシン目７は、折り畳みやすいように形成しているものなので、必ずしも設けなくてもよい。
【００２４】
一方、立体的に折り畳んだ状態で下面２ｂ側となる下面部５には、製品本体１の底部を載せるための製品収納部底面９が、折り畳んだ状態で折畳式容器２の上面２ａ側から見て下面２ｂ側よりも一段高い段差が生じるように隆起して形成されている。この隆起した製品収納部底面９には、上記ガイド片１０の突起部１１と係合するようにガイド孔１２が設けられている。このガイド孔１２は複数設けられ、本実施形態では、例えば、製品の長手方向両側の対向する位置にそれぞれ２つずつ設けられている。ガイド孔１２は、ガイド片１０が製品に近付く方向、すなわち、製品方向Ｐ（図５に示す）に移動可能なように、該製品方向Ｐに沿って突起部１１よりも大きく開口されている。
【００２５】
図４に示すように、上記ガイド片１０は、その突起部１１が下面部５に形成された製品収納部底面９のガイド孔１２と係合している。上記製品収納部底面９は、折畳式容器２の下面２ｂと段差が設けられていることより、上記ガイド片１０の突起部１１は、ガイド孔１２を設けた製品収納部底面９よりも下方へ突出するようになっている。ガイド孔１２には、ガイド片１０に当接かつ付勢するように、突起片１３が設けられている。具体的には、この突起片１３は、ガイド孔１２を形成する４辺のうち３辺を占めるスリット６で覆われた部分を、このスリット６に連続する折れ線１４を境に上面２ａ側に折り畳むことで形成される。
【００２６】
−作用−
次に、本実施形態にかかる折畳式容器２の作用について説明する。
【００２７】
図５は、ガイド片１０周辺の断面形状を示す。ガイド片１０が製品方向Ｐに移動可能なように大きく設けられたガイド孔１２と製品方向Ｐに付勢する突起片１３によって、ガイド片１０は、製品方向Ｐに移動するように付勢されている。ガイド片１０の突起部１１は、製品収納部底面９よりも下方へ突出しているため、外れ難く、かつ製品本体１との隙間なく保持することができるようになっている。突起片１３は、基端から先端までの長さが短く、またガイド片１０の先端付近を付勢しているため、てこの原理により、製品本体１を大きな力で保持することができるようになっている。このような構成により、振動等の外部負荷が生じても、製品本体１を強固に保持することができる。
【００２８】
図６は、上記製品本体１を収納した状態であって、落下等による大きな外部負荷が生じた状態を示す。上記落下時の外部負荷によって、製品本体１が落下方向、すなわちＨ方向に移動させられたとき、ガイド片１０は同じくＨ方向に移動しようとするが、製品収納部底面９に設けた突起片１３が付勢すると共に、その基端側でガイド片の移動を規制することにより、衝撃を緩和することができるようになっている。
【００２９】
また、本実施形態では、ガイド孔１２を大きく形成しているが、上記突起片１３が当接することにより、ガイド片１０の突起部１１は、ガイド孔１２の１辺と突起片１３の先端との両方に狭持されているので、製品本体１がガタ付くことはない。
【００３０】
また、図６に示すように、突起部１１の先端と突起片１３の先端との距離Ｌ３の分だけガイド孔１２と突起部１１とが係合していることになるので、ガイド孔１２と突起部１１とが極めて外れ難くなっている。
【００３１】
−実施形態の効果−
したがって、本実施形態では、スリット６を設けた板紙３０を折り曲げて折畳式容器２を成形し、製品本体１を保持するガイド片１０の突起部１１を、製品収納部底面９に製品本体１を押さえ付ける方向及びその逆方向に移動可能に支持したことにより、製品本体１を確実に保持すると共に、落下等外部負荷に対する信頼性の高い緩衝性能を得ることができ、別部材を用いる必要がないので、製造コストを抑えることができる。
【００３２】
（その他の実施形態）
本発明は、上記実施形態について、以下のような構成としてもよい。
【００３３】
すなわち、上記実施形態では、板部材として板紙３０を使用したが、その材質に限定されず、樹脂等によって折畳式容器２を形成してもよい。しかし、板部材を紙製とすることで、切断や折り曲げ等の加工が容易であると共に、リサイクルが可能であるため、環境に優しいものとなる。
【００３４】
なお、以上の実施形態は、本質的に好ましい例示であって、本発明、その適用物や用途の範囲を制限することを意図するものではない。
【図面の簡単な説明】
【００３５】
【図１】本発明の実施形態にかかる折畳式容器の展開形状を示す平面図である。
【図２】本発明の実施形態にかかる折畳式容器の組立形状を示す斜視図である。
【図３】本発明の実施形態にかかる折畳式容器の組立完成品を示す斜視図である。
【図４】本発明の実施形態にかかる製品収納部を破断して示す斜視図である。
【図５】本発明の実施形態にかかる製品収納部の断面図である。
【図６】外部負荷発生状態の図５相当図である。
【図７】従来の技術にかかる折畳式容器を示す図５相当図である。
【符号の説明】
【００３６】
１      製品本体
２      折畳式容器
３ａ    開口部
６      スリット
９      製品収納部底面
１０      ガイド片
１１      突起部
１２      ガイド孔
１３      突起片
１４      折れ線
３０      板紙（板部材）
【図１】
2007276836.tif 000003
【図２】
2007276836.tif 000004
【図３】
2007276836.tif 000005
【図４】
2007276836.tif 000006
【図５】
2007276836.tif 000007
【図６】
2007276836.tif 000008
【図７】
2007276836.tif 000009